(57)【要約】【課題】  画像形成装置の使用状況を的確に把握可能とする。【解決手段】  印刷ジョブに基づく印刷処理（画像形成処理）の実行前に、外部記憶装置２０にジョブ開始ログを書き込むとともに、印刷処理の終了後に、外部記憶装置２０にジョブ完了ログを書き込む。これにより、仮に、印刷ジョブの実行途中で障害が発生した場合であって、少なくともジョブ開始ログが外部記憶装置２０に残るので、画像形成装置１の使用状況を的確に把握することが可能となる。【選択図】図１
2010076313.tif 000002
【特許請求の範囲】
【請求項１】
印刷ジョブに基づいて記録媒体に画像を形成する画像形成装置であって、
印刷ジョブに基づく画像形成処理の実行前に、ネットワーク回線を介して通信可能な外部記憶装置に履歴情報を書き込むための書込処理を行う第１書込手段と、
印刷ジョブに基づく画像形成処理の終了後に、前記外部記憶装置に履歴情報を書き込むための書込処理を行う第２書込手段と
を備えることを特徴とする画像形成装置。
【請求項２】
前記第１書込手段は、少なくとも、画像形成処理が実行される印刷ジョブを特定するための情報及びその印刷ジョブに基づく画像形成処理が開始される旨を含む情報を履歴情報として書込処理を行い、
前記第２書込手段は、少なくとも、画像形成処理が終了した印刷ジョブを特定するための情報及びその印刷ジョブに基づく画像形成処理が終了した旨を含む情報を履歴情報として書込処理を行うことを特徴とする請求項１に記載の画像形成装置。
【請求項３】
前記第１書込手段及び前記第２書込手段による書込処理のうち、少なくとも一方の書込処理が失敗したときに、その失敗した書込処理にて前記外部記憶装置に書き込まれる予定であった履歴情報を記憶する第１履歴情報記憶手段と、
前記第１履歴情報記憶手段に履歴情報が記憶されている場合に、その記憶されている履歴情報を前記外部記憶装置に書き込むための書込処理を行う第３書込手段と
を備えることを特徴とする請求項１又は２に記載の画像形成装置。
【請求項４】
前記第３書込手段は、画像形成処理の実行前に書込処理を実行することを特徴とする請求項３に記載の画像形成装置。
【請求項５】
前記第２書込手段は、前記第１書込手段にて書き込まれた履歴情報が記憶されている記憶領域に履歴情報を上書きすることを特徴とする請求項１ないし４いずれか１つに記載の画像形成装置。
【請求項６】
前記第２書込手段は、前記第１書込手段にて書き込まれた履歴情報が記憶されている記憶領域に履歴情報を追記することを特徴とする請求項１ないし４いずれか１つに記載の画像形成装置。
【請求項７】
前記第１書込手段による書込処理が成功したことを条件として画像形成処理を実行し、一方、前記第１書込手段による書込処理が失敗した場合には画像形成処理を実行しないことを特徴とする請求項１ないし６のいずれか１つに記載の画像形成装置。
【請求項８】
印刷ジョブに基づく画像形成処理の実行時に、前記外部記憶装置に履歴情報を書き込むための書込処理を行う第４書込手段を備えており、
前記第４書込手段は、印刷ジョブに基づいて画像形成される複数ページのうち、所定ページ数毎に前記書込処理を実行することを特徴とする請求項１ないし７のいずれか１つに記載の画像形成装置。
【請求項９】
画像形成をすべき総ページ数に基づいて、前記所定ページ数を決定する決定手段を備えていることを特徴とする請求項８に記載の画像形成装置。
【請求項１０】
前記第４書込手段は、前記所定ページ数を一単位として、この一単位分の画像形成前及び画像形成後に前記書込処理を実行することを特徴とする請求項８又は９に記載の画像形成装置。
【請求項１１】
前記第４書込手段は、前記一単位分の画像形成処理の実行前に書き込まれた履歴情報が記憶されている記憶領域に、前記一単位分の画像形成処理の実行後の履歴情報を上書きすることを特徴とする請求項１０に記載の画像形成装置。
【請求項１２】
前記第４書込手段は、前記一単位分の画像形成処理の実行前に書き込まれた履歴情報が記憶されている記憶領域に、前記一単位分の画像形成処理の実行後の履歴情報を追記することを特徴とする請求項１０に記載の画像形成装置。
【請求項１３】
前記第２書込手段は、履歴情報を書き込む際に前記第４書込手段により書き込まれた履歴情報を削除することを特徴とする請求項８ないし１２のいずれか１つに記載の画像形成装置。
【請求項１４】
前記第４書込手段による書込処理が失敗したときに、その失敗した書込処理にて前記外部記憶装置に書き込まれる予定であった履歴情報を記憶する第２履歴情報記憶手段と、
前記第２履歴情報記憶手段に履歴情報が記憶されている場合に、その記憶されている履歴情報を前記外部記憶装置に書き込むための書込処理を行う第５書込手段と
を備えることを特徴とする請求項８ないし１３のいずれか１つに記載の画像形成装置。
【請求項１５】
前記第５書込手段は、印刷ジョブに基づく画像形成処理の実行前に書込処理を実行することを特徴とする請求項１４に記載の画像形成装置。
【請求項１６】
請求項１ないし１５のいずれか１つに記載の画像形成装置と、
前記画像形成装置にネットワーク回線を介して接続された前記外部記憶装置と
を備えることを特徴とする画像形成管理システム。
【発明の詳細な説明】
【技術分野】
【０００１】
本発明は、画像形成装置及びこの画像形成装置を用いた画像形成管理システムに関するものである。
【背景技術】
【０００２】
例えば、特許文献１に記載の画像形成管理システム（プリンタ管理システム）では、画像形成装置（プリンタ）の使用状況を把握するために、印刷ジョブに基づく印刷処理（画像形成処理）の終了後に、その印刷ジョブにより印刷された用紙の枚数及び印刷命令を発したユーザ等の情報を履歴情報としてプリントサーバに書き込んでいる。
【特許文献１】特開２００３−６７１７４号公報
【発明の開示】
【発明が解決しようとする課題】
【０００３】
しかし、特許文献１に記載の発明では、印刷ジョブの終了後に履歴情報をプリントサーバに書き込んでいるので、例えば、印刷枚数が複数枚となる印刷ジョブの実行途中で、プリントサーバ及び画像形成装置のうち少なくとも一方に障害が発生した場合には、その印刷ジョブに関する履歴情報が全くプリントサーバに残らず、画像形成装置の使用状況を的確に把握することができない。
【０００４】
本発明は、上記点に鑑み、画像形成装置の使用状況を的確に把握可能とすることを目的とする。
【課題を解決するための手段】
【０００５】
本発明は、上記目的を達成するために、請求項１に記載の発明では、印刷ジョブに基づいて記録媒体に画像を形成する画像形成装置であって、印刷ジョブに基づく画像形成処理の実行前に、ネットワーク回線を介して通信可能な外部記憶装置に履歴情報を書き込むための書込処理を行う第１書込手段と、画像形成処理の終了後に、外部記憶装置に履歴情報を書き込むための書込処理を行う第２書込手段とを備えることを特徴とする。
【０００６】
これにより、請求項１に記載の発明では、仮に、印刷ジョブの実行途中で障害が発生した場合であって、少なくとも第１書込手段により書込処理がされた履歴情報が外部記憶装置に残るので、画像形成装置の使用状況を的確に把握することが可能となる。
【０００７】
ここで、「書込処理」とは、画像形成装置が外部記憶装置を直接的に操作して履歴情報を書き込む場合、及び画像形成装置は履歴情報を外部記憶装置に送信するのみで、実際の書込作業は外部記憶装置が行う場合のいずれの場合も含む意味である。
【０００８】
また、「画像形成処理の終了」とは、印刷ジョブが正常終了した場合は勿論のこと、ユーザにより強制終了された場合や、何らかのエラーで強制終了された場合等の正常終了以外の終了も含む意味である。
【０００９】
なお、画像形成装置が外部記憶装置を直接的に操作して履歴情報を書き込む場合には、外部記憶装置として単純な記憶装置を採用することが可能となる。
また、画像形成をすべき総ページ数が複数ページであるときは、所定ページ分の画像形成処理が終了する毎に、外部記憶装置に履歴情報を書き込むための書込処理を実行させてもよい。
【００１０】
また、請求項２に記載の発明では、第１書込手段は、少なくとも、画像形成処理が実行される印刷ジョブを特定するための情報及びその印刷ジョブに基づく画像形成処理が開始される旨を含む情報を履歴情報として書込処理を行い、第２書込手段は、少なくとも、画像形成処理が終了した印刷ジョブを特定するための情報及びその印刷ジョブに基づく画像形成処理が終了した旨を含む情報を履歴情報として書込処理を行うことを特徴とする。
【００１１】
これにより、請求項２に記載の発明では、画像形成装置を管理する管理者が、外部記憶装置に記憶された履歴情報を確認する際に、容易に照査することが可能となる。
また、請求項３に記載の発明では、前記第１書込手段及び第２書込手段による書込処理のうち、少なくとも一方の書込処理が失敗したときに、その失敗した書込処理にて外部記憶装置に書き込まれる予定であった履歴情報を記憶する第１履歴情報記憶手段と、第１履歴情報記憶手段に履歴情報が記憶されている場合に、その記憶されている履歴情報を外部記憶装置に書き込むための書込処理を行う第３書込手段とを備えることを特徴とする。
【００１２】
これにより、請求項３に記載の発明では、履歴情報を確実に外部記憶装置に残すことができる。
なお、請求項４に記載の発明では、第３書込手段は、画像形成処理の実行前に書込処理を実行することを特徴とするものである。
【００１３】
また、請求項５に記載の発明では、第２書込手段は、第１書込手段にて書き込まれた履歴情報が記憶されている記憶領域に履歴情報を上書きすることを特徴とする。
これにより、請求項５に記載の発明では、画像形成処理が正常終了したときには、第２書込手段にて書き込まれた履歴情報のみとなるので、１つの印刷ジョブで必要とする履歴情報を記憶するための領域が過度に大きくなることを防止できる。
【００１４】
また、請求項６に記載の発明では、第２書込手段は、第１書込手段にて書き込まれた履歴情報が記憶されている記憶領域に履歴情報を追記することを特徴とする。
これにより、請求項６に記載の発明では、画像形成処理が正常終了したときには、１つの記憶領域（レコード）に第１記憶手段及び第２書込手段にて書き込まれた２つの履歴情報が書き込まれるので、印刷ジョブで必要とする履歴情報を記憶するための領域（レコード）の数が過度に大きくなることを防止できる。
【００１５】
また、請求項７に記載の発明では、第１書込手段による書込処理が成功したことを条件として画像形成処理を実行し、一方、第１書込手段による書込処理が失敗した場合には画像形成処理を実行しないことを特徴とする。
【００１６】
これにより、請求項７に記載の発明では、履歴情報が残されずに印刷ジョブが実行されることがないので、画像形成装置の使用状況をより的確に把握することができる。
また、請求項８に記載の発明では、印刷ジョブに基づく画像形成処理の実行時に、外部記憶装置に履歴情報を書き込むための書込処理を行う第４書込手段を備えており、第４書込手段は、印刷ジョブに基づいて画像形成される複数ページのうち、所定ページ数毎に書込処理を実行することを特徴とする。
【００１７】
これにより、請求項８に記載の発明では、仮に、印刷ジョブの実行途中で障害が発生した場合であっても、所定ページ数毎に履歴情報が書き込まれるので、画像形成装置の使用状況を的確かつより詳細に把握することが可能となる。
【００１８】
また、所定のページ数を、例えば、１ページ又は２ページとする場合等が考えられるが、仮に、画像形成をすべき総ページ数が非常に大きい場合には、請求項９に記載の構成を採用するとよい。
【００１９】
請求項９に記載の発明では、画像形成をすべき総ページ数に基づいて、所定ページ数を決定する決定手段を備えていることを特徴としているので、画像形成をすべき総ページ数が非常に大きい場合に、履歴情報を記憶するために必要な記憶領域が過度に大きくなってしまうことを防止することが可能となる。
【００２０】
つまり、例えば、総ページ数が１０ページ以下である場合には１ページ毎に、総ページ数が１０ページより大きく、かつ、１００ページ以下である場合には５ページ毎に、総ページ数が１００ページより大きい場合には１０ページ毎に書込処理が行われれば、履歴情報を記憶するために必要な記憶領域が過度に大きくなってしまうことを防止することが可能となる。
【００２１】
さらに、履歴情報を書き込む頻度を調整することにつながるので、画像形成をすべき総ページ数が非常に大きい場合に、外部記憶装置との通信に係るトラフィックを軽減できる。
【００２２】
また、請求項１０に記載の発明では、第４書込手段は、所定ページ数を一単位として、この一単位分の画像形成前及び画像形成後に前記書込処理を実行することを特徴とする。
これにより、請求項１０に記載の発明では、画像形成装置の使用状況を的確かつより詳細に把握することが可能となる。
【００２３】
また、請求項１１に記載の発明では、第４書込手段は、一単位分の画像形成処理の実行前に書き込まれた履歴情報が記憶されている記憶領域に、一単位分の画像形成処理の実行後の履歴情報を上書きすることを特徴とする。
【００２４】
これにより、請求項１１に記載の発明では、一単位分の画像形成処理が正常終了したときには、一単位分の画像形成処理の実行後の履歴情報のみが記憶されることとなるので、一単位分の画像形成処理で必要とする履歴情報を記憶するための領域が過度に大きくなることを防止できる。
【００２５】
請求項１２に記載の発明では、第４書込手段は、一単位分の画像形成処理の実行前に書き込まれた履歴情報が記憶されている記憶領域に、一単位分の画像形成処理の実行後の履歴情報を追記することを特徴とする。
【００２６】
これにより、請求項１２に記載の発明では、一単位分の画像形成処理が正常終了したときには、１つの記憶領域（レコード）に、一単位分の画像形成前及び画像形成後の履歴情報が書き込まれるので、一単位分の画像形成処理で必要とする履歴情報を記憶するための領域（レコード）の数が過度に大きくなることを防止できる。
【００２７】
請求項１３に記載の発明では、第２書込手段は、履歴情報を書き込む際に第４書込手段により書き込まれた履歴情報を削除するので、履歴情報を記憶するために必要な記憶領域が過度に大きくなってしまうことを防止できる。
【００２８】
請求項１４に記載の発明では、第４書込手段による書込処理が失敗したときに、その失敗した書込処理にて外部記憶装置に書き込まれる予定であった履歴情報を記憶する第２履歴情報記憶手段と、第２履歴情報記憶手段に履歴情報が記憶されている場合に、その記憶されている履歴情報を外部記憶装置に書き込むための書込処理を行う第５書込手段とを備えることを特徴とする。
【００２９】
これにより、請求項１４に記載の発明では、履歴情報を確実に外部記憶装置に残すことができる。
なお、請求項１５に記載の発明では、第５書込手段は、印刷ジョブに基づく画像形成処理の実行前に書込処理を実行することを特徴とするものであり、請求項１６に記載の発明では、請求項１ないし１５のいずれか１つに記載の画像形成装置と、画像形成装置にネットワーク回線を介して接続された外部記憶装置とを備えることを特徴とするものである。
【発明を実施するための最良の形態】
【００３０】
本実施形態は、本発明に係る画像形成装置１を、画像読取機能（スキャナ機能）等の画像形成機能以外の機能を兼ね備えた複合機に適用したものであり、以下に本発明の実施形態を図面と共に説明する。
【００３１】
（第１実施形態）
１．図面の説明
図１は、本実施形態に係る画像形成装置１の概要を示すブロック図であり、図２はメイン処理を示すフローチャートであり、図３はログ送信処理１を示すフローチャートであり、図４はログ送信処理２を示すフローチャートであり、図５（ａ）〜図５（ｄ）及び図６はログの書込例を示す図である。
【００３２】
２．画像形成装置の概要（図１参照）
本実施形態に係る画像形成装置１では、図１に示すように、記録用紙等の記録媒体（以下、用紙という。）に画像を形成する画像形成部３に加えて、原稿に記載されている画像を読み取る画像読取部５が設けられている。
【００３３】
また、記憶部７は、画像読取部５にて読み取られた画像電子データ等を記憶する記憶手段であり、この記憶部７は、フラッシュメモリやＨＤＤ等の電力供給が停止したときであっても記憶内容を保持することができる不揮発性記憶装置にて構成されている。
【００３４】
操作部９はユーザの操作を受け付けるユーザ入力手段をなすものであり、表示部１１はユーザに対して各種の情報を報知・伝達するための報知手段である。なお、本実施形態に係る表示部１１は、ＬＣＤ等の画像を表示するための表示手段を介してユーザに各種情報を報知・伝達する。
【００３５】
ＬＡＮ用通信部１３は、イーサネット（登録商標）等のネットワーク回線を介してファイルサーバ（例えば、ＣＩＦＳ（Common Internet File System）サーバ）等の外部記憶装置２０やコンピュータ２１と通信するためのネットワークインターフェース部である。
【００３６】
そして、画像形成部３、画像読取部５、記憶部７、操作部９、表示部１１及びＬＡＮ用通信部１３等の作動は、制御部１５により制御される。なお、制御部１５は、ＣＰＵ、ＲＯＭ及びＲＡＭ等からなる周知のマイクロコンピュータにて構成されたものであり、制御部１５（ＣＰＵ）は、ＲＯＭ等の記憶手段に予め記憶されたプログラムに従って画像形成部３等を制御する。
【００３７】
３．本実施形態に係る画像形成装置の特徴的作動（図２〜図６参照）
３．１．作動の概要
本実施形態に係る画像形成装置１は、画像形成装置１に対して印刷（画像形成）指令がされたときに、その印刷指令の対象となっている印刷ジョブに基づく印刷処理の実行前に、ＬＡＮ用通信部１３を介して通信可能な外部記憶装置２０に履歴情報（ログ）を書き込むための書込処理（以下、この書込処理を第１書込処理という。）を行うとともに、その印刷ジョブに基づく印刷処理の終了後に、外部記憶装置２０に履歴情報（ログ）を書き込むための書込処理（以下、この書込処理を第２書込処理という。）を行うことを主な特徴とするものである。
【００３８】
なお、「印刷ジョブに基づく印刷処理」とは、ＬＡＮ用通信部１３を介してコンピュータ２１に送信された印刷ジョブ、又は外部のコンピュータを介さずに直接的に印刷（ダイレクト印刷）指令がされたときの印刷ジョブの内容に基づいて、画像形成部３にて用紙に画像を形成（印刷）するための処理をいう。
【００３９】
３．２．詳細作動
３．２．１．メイン処理
図２は、「作動の概要」で説明した「書込処理」を実行するためのメイン処理を示すフローチャートであり、以下、コンピュータ２１から印刷指令がされた場合を例にメイン処理を説明する。
【００４０】
なお、メイン処理（図２）を実行するためのプログラムは、ＲＯＭに予め記憶されており、コンピュータ２１からの印刷指令を画像形成装置１が受け付けた時にＲＯＭから読み込まれて制御部１５（ＣＰＵ）にて実行される。
【００４１】
そして、メイン処理が起動されると、先ず、第１書込処理を実行するためのログ送信処理１（ログ送信処理１の詳細は後述する。）が実行された後（Ｓ１）、ログ送信処理１にて設定されたフラグに基づいて、外部記憶装置２０への履歴情報（以下、ログと記す。）の書き込みが成功したか否かが判定される（Ｓ３）。
【００４２】
このとき、外部記憶装置２０へのログの書き込みが失敗したと判定された場合には（Ｓ３：ＮＯ）、印刷指令の対象となっている印刷ジョブに基づく印刷処理の実行が中止された後（Ｓ４１）、メイン処理が終了する。
【００４３】
一方、外部記憶装置２０へのログの書き込みが成功したと判定された場合には（Ｓ３：ＹＥＳ）、印刷ジョブに基づいて印刷すべき印刷物の総ページ数（総枚数）が計数されるとともに（Ｓ５）、その計数された総ページ数が第１所定ページ数（本実施形態では、１０ページ）以下であるか否かが判定される（Ｓ７）。
【００４４】
そして、Ｓ５にて計数された総ページ数が第１所定ページ数以下であると判定された場合には（Ｓ７：ＹＥＳ）、１ページを一単位として、この一単位分の印刷処理の実行前及び実行後にログを書き込むための書込処理が実行される（Ｓ９、Ｓ２３〜Ｓ２９）。
【００４５】
すなわち、１ページが一単位として決定された後（Ｓ９）、一単位分の印刷処理が実行される前に、その一単位分の印刷処理が開始されることを意味するページログを外部記憶装置２０に書き込むためにログ送信処理２（詳細は後述する。）が実行される（Ｓ２３）。
【００４６】
なお、書き込まれるページログには、印刷処理の対象となる一単位に含まれるページのうち、最初に印刷されるページを特定する文字列（例えば、ページ番号）が含まれる。
そして、ログ送信処理２（Ｓ２３）が終了すると、ログ送信処理２にて設定されたフラグに基づいて、外部記憶装置２０へのページログの書き込みが成功したか否かが判定され（Ｓ２５）、ページログの書き込みが失敗したと判定された場合には（Ｓ２５：ＮＯ）、印刷指令の対象となっている印刷ジョブに基づく印刷処理の実行が中止された後（Ｓ４１）、メイン処理が終了する。
【００４７】
一方、外部記憶装置２０へのページログの書き込みが成功したと判定された場合には（Ｓ２５：ＹＥＳ）、一単位分の印刷処理が開始され（Ｓ２７）、その一単位分の印刷処理が終了すると、一単位分の印刷処理が完了したことを意味するページログを外部記憶装置２０に書き込むためにログ送信処理２が実行される（Ｓ２９）。
【００４８】
なお、書き込まれるページログには、印刷処理の対象となった一単位に含まれるページのうち、最後に印刷されたページを特定する文字列（例えば、ページ番号）が含まれる。
そして、Ｓ２９によるログ送信処理２が終了すると、ログ送信処理２にて設定されたフラグに基づいて、外部記憶装置２０へのページログの書き込みが成功したか否かが判定され（Ｓ３１）、ページログの書き込みが失敗したと判定された場合には（Ｓ３１：ＮＯ）、印刷指令の対象となっている印刷ジョブに基づく印刷処理の実行が中止された後（Ｓ４１）、メイン処理が終了する。
【００４９】
一方、外部記憶装置２０へのページログの書き込みが成功したと判定された場合には（Ｓ３１：ＹＥＳ）、全てのページについて印刷が完了したか否かが判定され（Ｓ３３）、全てのページについて印刷が完了したと判定された場合には（Ｓ３３：ＹＥＳ）、第２書込処理を実行するためのログ送信処理１が実行された後（Ｓ３５）、メイン処理が終了する。
【００５０】
一方、全てのページについて印刷が完了していないと判定された場合には（Ｓ３３：ＮＯ）、再び、Ｓ２３が実行され、次に印刷対象となる一単位について印刷処理が開始されることを示すページログが書き込まれる。
【００５１】
なお、次に印刷対象となる一単位とは、既に印刷処理が完了した一単位に含まれるページのうち、最後に印刷されるページの次に印刷されるべきページを含む一単位である。
また、Ｓ５にて計数された総ページ数が第１所定ページ数より大きいと判定された場合には（Ｓ７：ＮＯ）、その総ページ数が第１所定ページ数より大きい第２所定ページ数（本実施形態では、１００ページ）未満であるか否かが判定される（Ｓ１１）。
【００５２】
そして、総ページ数が第２所定ページ数未満であると判定された場合には（Ｓ１１：ＹＥＳ）、例えば５ページを一単位として、この一単位分の印刷処理の実行前及び実行後にログを書き込むための書込処理が実行される（Ｓ１３、Ｓ２３〜Ｓ２９）。
【００５３】
なお、５ページを一単位とした場合は、第１ページ、第６ページ、第１１ページ、第１６ページ、第２１ページ・・・・・第（５ｎ＋１）ページの印刷処理が実行される前にＳ２３が実行され、かつ、第５ページ、第１０ページ、第１５ページ、第２０ページ、第２５ページ・・・・・第５ｎページの印刷処理が実行された後にＳ２９が実行される。但し、「ｎ」は自然数を示す。
【００５４】
また、Ｓ１１にて総ページ数が第２所定ページ数以上であると判定された場合には（Ｓ１１：ＮＯ）、例えば１０ページを一単位として、この一単位分の印刷処理の実行前及び実行後にログを書き込むための書込処理が実行される（Ｓ１７、Ｓ２３〜Ｓ２９）。
【００５５】
なお、１０ページを一単位とした場合は、第１ページ、第１１ページ、第２１ページ、第３１ページ、第４１ページ・・・・・第（１０ｎ＋１）ページの印刷処理が実行される前にＳ２３が実行され、かつ、第１０ページ、第２０ページ、第３０ページ、第４０ページ、第２０ページ・・・・・第１０ｎページの印刷処理が実行された後にＳ２９が実行される。
【００５６】
３．２．２．ログ送信処理１（図３参照）
ログ送信処理１を実行するためのプログラムもメイン処理と同様に、ＲＯＭに予め記憶されており、ログ送信処理１の実行時にＲＯＭから読み込まれて制御部１５（ＣＰＵ）にて実行される。
【００５７】
そして、ログ送信処理１が起動されると、図３に示すように、先ず、ネットワーク回線を介して外部記憶装置２０への接続がされるとともに（Ｓ５１）、外部記憶装置２０への接続に成功したか否かが判定される（Ｓ５３）。
【００５８】
このとき、外部記憶装置２０への接続に失敗したと判定された場合には（Ｓ５３：ＮＯ）、今回のログ送信処理１にて外部記憶装置２０に書き込まれる予定であったログが記憶部７に記憶された後（Ｓ８５）、外部記憶装置２０へのログの書き込みに失敗したことを意味するフラグが設定されるとともに（Ｓ８７）、その旨が印刷指令の発せられたコンピュータ２１に送信された後（Ｓ８９）、ログ送信処理１が終了する。
【００５９】
なお、「ログ送信処理１にて外部記憶装置２０に書き込まれる予定であったログ（以下、このログをエラーログという。）」は、今回のログ送信処理１にて外部記憶装置２０に書き込まれる予定であったログであり、具体的には、後述するＳ７１又はＳ７９にて書き込まれる予定であったログである。
【００６０】
一方、外部記憶装置２０への接続に成功したと判定された場合には（Ｓ５３：ＹＥＳ）、ログを書き込むためのファイル（以下、ログファイルという。）が外部記憶装置２０に存在しているか否かが判定され（Ｓ５５）、ログファイルが存在すると判定された場合には（Ｓ５５：ＹＥＳ）、そのログファイルが書込モードにて開かれるとともに（Ｓ５９）、書込モードでのログファイルを開くことができたか否かが判定される（Ｓ６１）。
【００６１】
また、ログファイルが存在しないと判定された場合には（Ｓ５５：ＮＯ）、ログファイルが新規に作成された後（Ｓ５７）、その作成されたログファイルが書込モードにて開かれるとともに（Ｓ５９）、書込モードでのログファイルを開くことができたか否かが判定される（Ｓ６１）。
【００６２】
このとき、書込モードでのログファイルを開くことができなかったと判定された場合には（Ｓ６１：ＮＯ）、Ｓ８５が実行され、一方、書込モードでのログファイルを開くことができたと判定された場合には（Ｓ６１：ＹＥＳ）、現在のタイミングは、印刷ジョブの開始時及び印刷ジョブの完了時のいずれのタイミングであるか、つまり、第１書込処理の実行時であるか又は第２書込処理の実行時であるかが判定される（Ｓ６３）。
【００６３】
そして、第１書込処理の実行時であると判定された場合には（Ｓ６３：印刷ジョブの開始時）、記憶部７にエラーログが記憶されているか否かが判定され（Ｓ６５）、エラーログが記憶されていると判定された場合には（Ｓ６５：ＹＥＳ）、そのエラーログがログファイルの末尾に追記されるとともに（Ｓ６７）、エラーログの書き込みに成功したか否かが判定される（Ｓ６９）。なお、本実施形態では、ログをログファイルの末尾に追記する構成としているが、特に末尾に限定する必要はない。
【００６４】
このとき、エラーログの書き込みに失敗したと判定された場合には（Ｓ６９：ＮＯ）、ログ送信処理１が終了し、一方、エラーログの書き込みに成功したと判定された場合には（Ｓ６９：ＹＥＳ）、その書き込みに成功したエラーログが記憶部７から削除されるとともに（Ｓ７０）、ジョブ開始ログが今回の第１書込処理にて外部記憶装置２０に書き込まれるべきログとしてログファイルに追加書き込みされる（Ｓ７１）。
【００６５】
なお、ジョブ開始ログとは、例えば図５（ａ）に示すように、Ｓ７１が実行された時の日付及び時刻を示す情報（「ｄａｔｅ」の下に表示された「２００８／０８／０５」及び「ｔｉｍｅ」の下に表示された「１９：０５」）、印刷処理が実行される印刷ジョブを特定するための情報（「ｎａｍｅ」の下に表示された「ｊｏｂ６」）、印刷指令が発せられたコンピュータ２１を特定するための情報（「ｈｏｓｔ」の下に表示された「ＰＣ８」）、印刷指令をしたユーザ名（「ｕｓｅｒ」の下に表示された「ｋａｗａｉ」）、並びにその印刷ジョブに基づく印刷処理が開始される旨を含む情報（「ｓｔａｔｕｓ」の下に表示された「ｊｏｂ  ｓｔａｒｔ」）等の情報から構成されたものである。
【００６６】
そして、ジョブ開始ログの書込処理が終了すると（Ｓ７１）、ジョブ開始ログの書き込みに成功したか否かが判定され（Ｓ７３）、書き込みに失敗したと判定された場合には（Ｓ７３：ＮＯ）、Ｓ８５が実行され、一方、書き込みに成功したと判定された場合には（Ｓ７３：ＹＥＳ）、ログの書き込みに成功した旨を意味するフラグが設定された後（Ｓ８１）、ログファイルが閉じられて（Ｓ８３）、ログ送信処理１が終了する。
【００６７】
また、Ｓ６３にて、第２書込処理の実行時であると判定された場合には（Ｓ６３：印刷ジョブの完了時）、ログファイルに書き込まれているログのうち、現在、印刷処理中の印刷ジョブに関してログ送信処理２にて書き込まれたログ（以下ページログという。）の全てが検索・抽出される（Ｓ７５）。
【００６８】
次に、Ｓ７５にて検索・抽出されたページログの全てがログファイルから削除された後（Ｓ７７）、現在、印刷処理中の印刷ジョブについてのジョブ開始ログがログファイルの中から検索されるとともに、そのジョブ開始ログが記憶されている記憶領域（レコード）にジョブ完了ログが第２書込処理にて書き込まれるログとして上書きされ（Ｓ７９）、Ｓ７３が実行される。
【００６９】
なお、ジョブ完了ログとは、例えば図５（ｄ）に示すように、Ｓ７９が実行された時の日付及び時刻を示す情報（「ｄａｔｅ」の下に表示された「２００８／０８／０５」及び「ｔｉｍｅ」の下に表示された「１９：０６」）、印刷処理が実行される印刷ジョブを特定するための情報（「ｎａｍｅ」の下に表示された「ｊｏｂ６」）、印刷指令が発せられたコンピュータ２１を特定するための情報（「ｈｏｓｔ」の下に表示された「ＰＣ８」）、印刷指令をしたユーザ名（「ｕｓｅｒ」の下に表示された「ｋａｗａｉ」）、その印刷ジョブに基づく印刷処理が終了（完了）される旨を含む情報（「ｓｔａｔｕｓ」の下に表示された「ｆｉｎｉｓｈ」）、並びにその印刷ジョブが正常に完了したことを示す情報（「ｒｅｓｕｌｔ」の下に表示された「ＯＫ」）等の情報から構成されたものである。
【００７０】
３．２．３．ログ送信処理２（図４参照）
ログ送信処理２を実行するためのプログラムもメイン処理と同様に、ＲＯＭに予め記憶されており、ログ送信処理２の実行時にＲＯＭから読み込まれて制御部１５（ＣＰＵ）にて実行される。
【００７１】
そして、ログ送信処理２が起動されると、図４に示すように、先ず、ネットワーク回線を介して外部記憶装置２０への接続がされるとともに（Ｓ９１）、外部記憶装置２０への接続に成功したか否かが判定される（Ｓ９３）。
【００７２】
このとき、外部記憶装置２０への接続に失敗したと判定された場合には（Ｓ９３：ＮＯ）、今回のログ送信処理２にて外部記憶装置２０に書き込まれる予定であったログがエラーログとして記憶部７に記憶される（Ｓ１０７）。
【００７３】
そして、外部記憶装置２０へのログの書き込みに失敗したことを意味するフラグが設定されるとともに（Ｓ１０９）、その旨が印刷指令の発せられたコンピュータ２１に送信された後（Ｓ１１１）、ログ送信処理２が終了する。なお、エラーログは、具体的には、後述するＳ９９にて書き込まれる予定であったログである。
【００７４】
一方、外部記憶装置２０への接続に成功したと判定された場合には（Ｓ９３：ＹＥＳ）、ログファイルが書込モードにて開かれるとともに（Ｓ９５）、書込モードでのログファイルを開くことができたか否かが判定される（Ｓ９７）。
【００７５】
このとき、書込モードでのログファイルを開くことができなかったと判定された場合には（Ｓ９７：ＮＯ）、Ｓ１０７が実行され、一方、書込モードでのログファイルを開くことができたと判定された場合には（Ｓ９７：ＹＥＳ）、ページログが今回のログ送信処理２にて外部記憶装置２０に書き込まれるべきログとしてログファイルに追加書き込みされる（Ｓ９９）。
【００７６】
なお、ページログとは、例えば図５（ｂ）及び図５（ｃ）に示すように、Ｓ９９が実行された時の日付及び時刻（「ｄａｔｅ」の下に表示された「２００８／０８／０５」及び「ｔｉｍｅ」の下に表示された「１９：０５」）、一単位分の印刷処理の実行前を示す情報（「ｓｔａｔｕｓ」の下に表示された「ｐａｇｅ１  ｓｔａｒｔ」等）及び一単位分の印刷処理の実行後を示す情報（「ｓｔａｔｕｓ」の下に表示された「ｐａｇｅ１  ｅｎｄ」等）、並びに一単位分の印刷処理が終了したことを示す情報（「ｒｅｓｕｌｔ」の下に表示された「ＯＫ」）等を含む情報から構成されたものである。
【００７７】
なお、図５（ｂ）及び図５（ｃ）については、１ページを一単位としてページログが書き込まれた場合の例である。このため、複数ページを一単位としてページログが書き込まれた場合には、「ｐａｇｅ１  ｓｔａｒｔ」は、「ｂｌｏｃｋ１  ｐａｇｅ１  ｓｔａｒｔ」又は「ｐａｒｔ１  ｐａｇｅ１  ｓｔａｒｔ」と書き込まれ、「ｐａｇｅ１  ｅｎｄ」は「ｂｌｏｃｋ１  ｐａｇｅ［ｎ］  ｅｎｄ」又は「ｐａｒｔ１  ｐａｇｅ［ｎ］  ｅｎｄ」と書き込まれる。
【００７８】
なお、［ｎ］は、一単位を構成するページ数となる。つまり、ページログには、一単位として区分されたページのうち、最初に印刷処理されるページのページ番号が、この一単位が印刷処理されることを示す「ｓｔａｒｔ」の文字列とともに書き込まれ、その一単位の印刷処理が完了した場合には、その一単位として区分されたページのうち、最後に印刷処理されたページのページ番号が、この一単位の印刷処理が終了したこと示す「ｅｎｄ」の文字列とともに書き込まれる。
【００７９】
そして、ページログの書込処理が終了すると（Ｓ９９）、ページログの書き込みに成功したか否かが判定され（Ｓ１０１）、書き込みに失敗したと判定された場合には（Ｓ１０１：ＮＯ）、Ｓ１０７が実行され、一方、書き込みに成功したと判定された場合には（Ｓ１０１：ＹＥＳ）、ログの書き込みに成功した旨を意味するフラグが設定された後（Ｓ１０３）、ログファイルが閉じられて（Ｓ１０５）、ログ送信処理２が終了する。
【００８０】
３．２．３．印刷処理とログの変遷
以上に説明したように、本実施形態では、先ず、ログ送信処理１により、図５（ａ）に示すログが外部記憶装置２０に書き込まれ、次に、ログ送信処理２により、ページログが、図５（ｂ）→図５（ｃ）の順に示すようにログフィルに書き込まれていく。
【００８１】
そして、印刷ジョブが正常に完了すると、全てのページログが削除されるとともに、ジョブ開始ログが記憶されている記憶領域にジョブ完了ログが上書きされて終了する。
すなわち、印刷ジョブが正常に完了した場合には、印刷処理がされた印刷ジョブのジョブ完了ログのみがログファイルに残り、一方、印刷ジョブが正常に完了しなかった場合には、図５（ａ）〜図５（ｃ）のいずれかで示す状態、つまりジョブ開始ログ又はページログがログファイルに残り、ジョブ完了ログが残っていない状態となる。
【００８２】
また、ログ送信処理１にてエラーログとして記憶部７に記憶されたログ、及びログ送信処理２にてエラーログとして記憶部７に記憶されたログは共に、ログ送信処理１の実行時（ジョブ開始ログを外部記憶装置２０に書き込む直前）に外部記憶装置２０に書き込まれる。
【００８３】
４．本実施形態に係る画像形成装置の特徴
本実施形態では、印刷ジョブに基づく印刷処理（画像形成処理）の実行前に、外部記憶装置２０にジョブ開始ログを書き込むとともに、印刷処理の終了後に、外部記憶装置２０にジョブ完了ログを書き込むので、仮に、印刷ジョブの実行途中で障害が発生した場合であって、少なくともジョブ開始ログが外部記憶装置２０に残るので、画像形成装置１の使用状況を的確に把握することが可能となる。
【００８４】
ここで、「書込処理」とは、画像形成装置１が外部記憶装置２０を直接的に操作して履歴情報を書き込む場合、及び画像形成装置１はジョブ開始ログ等の履歴情報を外部記憶装置２０に送信するのみで、実際の書込作業は外部記憶装置２０が行う場合のいずれの場合も含む意味である。
【００８５】
なお、画像形成装置が外部記憶装置２０を直接的に操作して履歴情報を書き込む場合には、外部記憶装置２０として単純な記憶装置を採用することが可能となる。
また、本実施形態では、ジョブ開始ログは、少なくとも、印刷処理が実行される印刷ジョブを特定するための情報及びその印刷ジョブに基づく印刷処理が開始される旨を含む情報から構成され、かつ、ジョブ完了ログは、少なくとも、印刷処理が終了した印刷ジョブを特定するための情報及びその印刷ジョブに基づく印刷処理が終了した旨を含む情報から構成されているので、画像形成装置１を管理する管理者が、外部記憶装置２０に記憶されたログを確認する際に、容易に照査することが可能となる。
【００８６】
また、本実施形態では、ジョブ完了ログの書き込みに失敗したときには、その失敗した書込処理にて外部記憶装置２０に書き込まれる予定であったログをエラーログとして記憶し、エラーログが記憶されている場合には、その記憶されているエラーログを、次回の書込処理時に書き込むので、ジョブ完了ログを確実に外部記憶装置２０に残すことができる。
【００８７】
また、本実施形態では、ジョブ完了ログは、ジョブ開始ログが記憶されている記憶領域に上書きされるので、印刷処理が正常に完了したときには、図６に示すように、ログファイルにはジョブ完了ログのみが残る。このため、１つの印刷ジョブで必要とするログを記憶するための領域が過度に大きくなることを防止できる。
【００８８】
また、本実施形態では、ジョブ開始ログの外部記憶装置２０への書き込みが成功した場合には印刷処理が実行され、一方、ジョブ開始ログの外部記憶装置２０への書き込みが失敗した場合には印刷処理が実行されないので、ログが残されずに印刷ジョブが実行されることがなく、画像形成装置１の使用状況をより的確に把握することができる。
【００８９】
したがって、印刷枚数等に応じてユーザに対して課金を行う印刷システムに本実施形態に係る画像形成装置１を用いれば、特に、有効である。
また、本実施形態では、印刷ジョブに基づく印刷処理の実行時に、印刷ジョブに基づき印刷処理される複数ページのうち、所定ページ数を一単位として、この一単位分の印刷の実行前及び実行後にページログを外部記憶装置２０に書き込む。そのため、仮に、印刷ジョブの実行途中で障害が発生した場合であっても、ページログが外部記憶装置２０に残るので、画像形成装置１の使用状況を的確かつより詳細に把握することが可能となる。
【００９０】
また、本実施形態では、印刷をすべき総ページ数に基づいて、一単位を構成する所定ページ数を決定するので、印刷をすべき総ページ数が非常に大きい場合に、ページログを記憶するために必要な記憶領域が過度に大きくなってしまうことを防止することが可能となる。
【００９１】
また、ページログを書き込む頻度を調整することにつながるので、画像形成をすべき総ページ数が非常に大きい場合に、外部記憶装置２０との通信に係るトラフィックを軽減できる。
【００９２】
また、本実施形態では、ジョブ完了ログを書き込む際にページログの全てを削除するので、ログを記憶するために必要な記憶領域が過度に大きくなってしまうことを防止できる。
【００９３】
また、本実施形態では、ページログの書き込みに失敗したときには、その失敗した書込処理にて外部記憶装置２０に書き込まれる予定であったページログをエラーログとして記憶するとともに、エラーログが記憶されている場合には、その記憶されているエラーログが、次回の印刷処理時に外部記憶装置２０に書き込まれるので、印刷ジョブが正常に完了しなかった場合であっても、その途中経過を示すページログを確実に外部記憶装置２０に残すことができる。
【００９４】
（第２実施形態）
第１実施形態では、一単位分の印刷処理の実行前と実行後にページログを外部記憶装置２０に書き込んだが、本実施形態では、図７に示すように、一単位を構成するページ数が決定されると（Ｓ９、Ｓ１３、Ｓ１７）、一単位を構成する複数ページのうち、この一単位の最後のページの印刷処理の実行前及び実行後にログを書き込むための書込処理が実行される（Ｓ１９〜Ｓ２９）。
【００９５】
つまり、本実施形態では、Ｋ（自然数）ページを一単位とした場合は、第（Ｋ×ｎ）ページの印刷処理の実行前及び実行後にページログが外部記憶装置２０に書き込まれる。
なお、本実施形態と第１実施形態との相違点は、メイン処理のみであるので、以下、図７に示すフローチャートに従って、本実施形態と第１実施形態との相違点を中心に本実施形態を説明する。因みに、図７は第１実施形態におけるメイン処理（図２）に相当するフローチャートであり、図２と同一制御ステップについては図２と同一の符号を付した。
【００９６】
１．メイン処理（図７参照）
第１実施形態と同様な制御ステップを経て、一単位を構成するページ数が決定されると（Ｓ９、Ｓ１３、Ｓ１７）、印刷ジョブの第１ページが印刷対象ページに設定された後（Ｓ１９）、その印刷対象ページに設定されたページがページログの書込処理を実行すべき書込対象ページであるか否かが判定される（Ｓ２１）。
【００９７】
なお、この判定は、上述したように、Ｋ（１以上の自然数）ページを一単位とした場合、第（Ｋ×ｎ）ページが印刷対象ページとして設定されていた場合に、肯定判定される。
このとき、ページログの書込対象ページであると判定された場合には（Ｓ２１：ＹＥＳ）、ログ送信処理２が実行された後（Ｓ２３）、ログ送信処理２にて設定されたフラグに基づいて、外部記憶装置２０へのログの書き込みが成功したか否かが判定される（Ｓ２５）。
【００９８】
なお、ページログには、書込対象ページを特定する文字列（例えば、ページ番号）、及び、そのページが印刷処理されることを示す「ｓｔａｒｔ」の文字列などが含まれる。
そして、ページログの書き込みが失敗したと判定された場合には（Ｓ２５：ＮＯ）、印刷指令の対象となっている印刷ジョブに基づく印刷処理の実行が中止された後（Ｓ４１）、メイン処理が終了する。
【００９９】
一方、外部記憶装置２０へのページログの書き込みが成功したと判定された場合には（Ｓ２５：ＹＥＳ）、印刷対象ページの印刷が開始され（Ｓ２７）、その印刷対象ページの印刷が終了すると、ログ送信処理２が実行される（Ｓ２９）。
【０１００】
なお、ページログには、書込対象ページを特定する文字列（例えば、ページ番号）、及び、そのページの印刷処理が完了したことを示す「ｅｎｄ」の文字列などが含まれる。
そして、Ｓ２９によるログ送信処理２が終了すると、ログ送信処理２にて設定されたフラグに基づいて、外部記憶装置２０へのページログの書き込みが成功したか否かが判定され（Ｓ３１）、ページログの書き込みが失敗したと判定された場合には（Ｓ３１：ＮＯ）、印刷指令の対象となっている印刷ジョブに基づく印刷処理の実行が中止された後（Ｓ４１）、メイン処理が終了する。
【０１０１】
一方、外部記憶装置２０へのページログの書き込みが成功したと判定された場合には（Ｓ３１：ＹＥＳ）、全てのページについて印刷が完了したか否かが判定され（Ｓ３３）、全てのページについて印刷が完了したと判定された場合には（Ｓ３３：ＹＥＳ）、第２書込処理を実行するためのログ送信処理１が実行された後（Ｓ３５）、メイン処理が終了する。
【０１０２】
また、全てのページについて印刷が完了していないと判定された場合には（Ｓ３３：ＮＯ）、次ページ目が印刷対象ページに設定された後（Ｓ３９）、再び、Ｓ２１が実行される。なお、Ｓ２１にてページログの書込対象ページでないと判定された場合には（Ｓ２１：ＮＯ）、Ｓ２３〜Ｓ３１が実行されることなく、印刷が行われ（Ｓ３７）、Ｓ３３が実行される。
【０１０３】
２．本実施形態に係る画像形成装置の特徴
本実施形態も第１実施形態と同様に、所定ページ数毎にページログが書き込まれるので、画像形成装置１の使用状況を的確かつより詳細に把握することが可能となる。
【０１０４】
なお、本実施形態及び第１実施形態では、図２及び図７に示すメイン処理において、Ｓ２３の処理を省略してもよい。そして、このようにすれば、記憶領域（レコード）の圧迫を防止できる。
【０１０５】
（第３実施形態）
上述の実施形態では、印刷ジョブが正常に完了した場合には、ジョブ開始ログが書き込まれた記憶領域（レコード）にジョブ完了ログを上書きしたが、本実施形態は、図８に示すように、ジョブ開始ログが書き込まれた記憶領域（レコード）にジョブ完了ログを追記するものである。
【０１０６】
これにより、本実施形態では、印刷処理が正常終了したときには、１つの記憶領域（レコード）にジョブ開始ログ及びジョブ完了ログが書き込まれるので、印刷ジョブで必要とするログを記憶するための記憶領域（レコード）の数が過度に大きくなることを防止できる。
【０１０７】
（第４実施形態）
第３実施形態では、ジョブ開始ログが書き込まれた記憶領域（レコード）にジョブ完了ログを追記したが、本実施形態は、図９に示すように、ジョブ開始ログが書き込まれた記憶領域の次の記憶領域にジョブ完了ログを追記するものである。
【０１０８】
これにより、ログファイルを閲覧する管理者は、一のジョブの開始ログと終了ログとを関係付けて容易に確認することができる。
（第５実施形態）
本実施形態は、一単位分の印刷処理の実行前に書き込まれたページログ（以下、実行前ページログという。）が記憶されている記憶領域に、図１０に示すように、その一単位分の印刷処理の実行後のページログ（以下、実行後ページログという。）を上書きするものである。
【０１０９】
これにより、本実施形態では、一単位分の印刷処理が正常終了したときには、実行後ページログのみが記憶されることとなるので、一単位分の印刷処理で必要とするログを記憶するための領域が過度に大きくなることを防止できる。
【０１１０】
（第６実施形態）
本実施形態では、図１１に示すように、実行前ページログが記憶されている記憶領域（レコード）に、実行後ページログを追記するものである。
【０１１１】
これにより、本実施形態では、一単位分の印刷処理が正常終了したときには、１つの記憶領域（レコード）に、一単位分の印刷前及び印刷後のログが書き込まれるので、一単位分の印刷処理で必要とするログを記憶するための領域（レコード）の数が過度に大きくなることを防止できる。
【０１１２】
（その他の実施形態）
上述の実施形態では、ジョブ開始ログと全てのページログとが外部記憶装置２０に書き込まれる構成であったが、本発明はこれに限定されるものではなく、例えば、一単位分の印刷処理のうち最初に実行される一単位分については、実行前ページログを外部記憶装置２０に書き込まない構成としてもよい。
【０１１３】
そして、このようにすれば、ジョブ開始ログが、最初に実行される一単位分の実行前ページログの代わりになるので、ログを記憶するための領域（レコード）の数が過度に大きくなることを防止できる。
【０１１４】
また、上述の実施形態では、ジョブ完了ログと全てページログとが外部記憶装置２０に書き込まれる構成であったが、本発明はこれに限定されるものではなく、例えば、一単位分の印刷処理のうち最後に実行される一単位分については、実行後ページログを外部記憶装置２０に書き込まない構成としてもよい。
【０１１５】
そして、このようにすれば、ジョブ完了ログが、最後に実行される一単位分の実行後ページログの代わりになるので、ログを記憶するための領域（レコード）の数が過度に大きくなることを防止できる。
【０１１６】
また、上述の実施形態では、印刷すべき総ページ数に基づいて自動的に一単位を何ページとするかが決定されたが、本発明はこれに限定されるものではなく、操作部９を介してユーザにより入力された値を一単位を構成するページ数としてもよい。
【０１１７】
また、特定の印刷ジョブについての印刷処理を実行している際に、他の印刷ジョブの割り込み印刷処理が発生した場合には、印刷ジョブ毎にログが固まりとして表記されるように書き込むことが望ましい。
【０１１８】
また、本発明は、特許請求の範囲に記載された発明の趣旨に合致するものであればよく、上述の実施形態に限定されるものではない。
【図面の簡単な説明】
【０１１９】
【図１】本発明の実施形態に係る画像形成装置１の概要を示すブロック図である。
【図２】本発明の第１実施形態に係るメイン処理を示すフローチャートである。
【図３】ログ送信処理１を示すフローチャートである。
【図４】ログ送信処理２を示すフローチャートである。
【図５】本発明の第１実施形態に係る（ａ）〜（ｄ）はログの書込例を示す図である。
【図６】本発明の第１実施形態に係るログの書込例を示す図である。
【図７】本発明の第２実施形態に係るメイン処理を示すフローチャートである。
【図８】本発明の第３実施形態に係るログの書込例を示す図である。
【図９】本発明の第４実施形態に係るログの書込例を示す図である。
【図１０】本発明の第５実施形態に係るログの書込例を示す図である。
【図１１】本発明の第６実施形態に係るログの書込例を示す図である。
【符号の説明】
【０１２０】
１…画像形成装置、３…画像形成部、５…画像読取部、７…記憶部、９…操作部、
１１…表示部、１３…ＬＡＮ用通信部、１５…制御部、２０…外部記憶装置、
２１…コンピュータ。
【図１】
2010076313.tif 000003
【図２】
2010076313.tif 000004
【図３】
2010076313.tif 000005
【図４】
2010076313.tif 000006
【図５】
2010076313.tif 000007
【図６】
2010076313.tif 000008
【図７】
2010076313.tif 000009
【図８】
2010076313.tif 000010
【図９】
2010076313.tif 000011
【図１０】
2010076313.tif 000012
【図１１】
2010076313.tif 000013